(57)【要約】【課題】発光部の点灯不良を抑制できるイオン歯ブラシを提供する。【解決手段】本発明に係るイオン歯ブラシ１００は、柄部１０に収容され、第１端子４４および第２端子４６を有する発光部４０と、柄部１０に設けられ、発光部４０が発する光を透過する光透過部５０と、第１端子４４と第１電極とを電気的に接続可能な第１配線６０と、第２端子４６と第２電極とを電気的に接続可能な第２配線７０と、光透過部５０に設けられ、第１端子４４および第１配線６０の一方を他方に押し付けている第１突起部５２と、光透過部５０に設けられ、第２端子４６および第２配線７０の一方を他方に押し付けている第２突起部５４と、を含み、光透過部５０、第１突起部５２、および第２突起部５４の材質は、ポリウレタンである。【選択図】図１０
2014064760.tif 000002
【特許請求の範囲】
【請求項１】
使用者が把持する柄部と、
前記柄部から延出する導電性の支軸部と、
前記支軸部によって支持され、ブラシ毛が設けられたヘッド部と、
前記柄部に収容され、第１電極および第２電極を有する電池であって、前記第１電極が前記柄部の外表面に設けられた導電部材と電気的に接続され、前記第２電極が前記支軸部と電気的に接続される電池と、
前記柄部に収容され、第１端子および第２端子を有する発光部と、
前記柄部に設けられ、前記発光部が発する光を透過する光透過部と、
前記第１端子と前記第１電極とを電気的に接続可能な第１配線と、
前記第２端子と前記第２電極とを電気的に接続可能な第２配線と、
前記光透過部に設けられ、前記第１端子および前記第１配線の一方を他方に押し付けている第１突起部と、
前記光透過部に設けられ、前記第２端子および前記第２配線の一方を他方に押し付けている第２突起部と、
を含み、
前記光透過部、前記第１突起部、および前記第２突起部の材質は、ポリウレタンである、イオン歯ブラシ。
【請求項２】
請求項１において、
前記第２配線を前記支軸部に押し付けるためのスイッチ部を、さらに含み、
前記第２配線は、前記スイッチ部によって、前記支軸部と接触して、前記第２電極と電気的に接続される、イオン歯ブラシ。
【請求項３】
請求項２において、
前記スイッチ部の材質は、ポリウレタンである、イオン歯ブラシ。
【請求項４】
請求項１ないし３のいずれか１項おいて、
前記第１突起部は、前記第１配線を前記第１端子に押し付け、
前記第２突起部は、前記第２配線を前記第２端子に押し付けている、イオン歯ブラシ。
【請求項５】
請求項４において、
前記第１突起部は、前記第１配線の前記第１端子との重なり部を押し、
前記第２突起部は、前記第２配線の前記第２端子との重なり部を押している、イオン歯ブラシ。
【請求項６】
請求項１ないし５のいずれか１項おいて、
前記柄部の材質は、ＡＢＳ（ａｃｒｙｌｏｎｉｔｒｉｌｅ  ｂｕｔａｄｉｅｎｅ  ｓｔｙｒｅｎｅ  ｃｏｐｏｌｙｍａｅｒ）樹脂である、イオン歯ブラシ。
【請求項７】
請求項１ないし６のいずれか１項おいて、
前記柄部は、
柄部本体と、
超音波溶着によって前記柄部本体に固定されたカバー部と、
を有する、イオン歯ブラシ。
【発明の詳細な説明】
【技術分野】
【０００１】
本発明は、イオン歯ブラシに関する。
【背景技術】
【０００２】
従来から、歯ブラシの柄部に電池を内蔵し、この柄部を把持する使用者の手を介して歯とブラシ毛との間に電流を流し、ブラッシング効果を向上させたイオン歯ブラシや電子歯ブラシ（以下、これらを総称して「イオン歯ブラシ」という）が提案されている。この種のイオン歯ブラシは、上記の効果を維持するために、電池の電圧が所定の値に維持されているか、定期的に検査する必要がある。
【０００３】
例えば特許文献１には、柄部に設けられたスイッチ部を押すことにより、発光部を発光させ、電池の電圧の検査を行うことができるイオン歯ブラシが開示されている。特許文献１のイオン歯ブラシでは、電池とＬＥＤとの電気的接続を、導電性の接続部材を接触させることによって行っている。接続部材は、ねじによって柄部に固定され、発光部の端子に押圧され接続されている。
【先行技術文献】
【特許文献】
【０００４】
【特許文献１】国際公開第９９／６２３７２号パンフレット
【発明の概要】
【発明が解決しようとする課題】
【０００５】
特許文献１のイオン歯ブラシでは、接続部材をねじによって固定しているため、例えば部品数が増え、これにともなって工数が増えてコストが高くなるという問題がある。そのため、例えば、柄部の内表面に突起部を設け、該突起部によって接続部材を発光部の端子に押さえ付けることが考えられる。
【０００６】
しかしながら、製造工程に超音波溶着工程を含むイオン歯ブラシでは、突起部が超音波溶着工程の際に、変形したり溶けたりする場合があった。そのため、突起部の押さえつける作用が不足して、接続部材と発光部の端子との接触が不十分となり、発光部の点灯不良が発生する場合があった。
【０００７】
本発明のいくつかの態様に係る目的の１つは、発光部の点灯不良を抑制できるイオン歯ブラシを提供することにある。
【課題を解決するための手段】
【０００８】
本発明は上述の課題の少なくとも一部を解決するためになされたものであり、以下の態様または適用例として実現することができる。
【０００９】
［適用例１］
本発明に係るイオン歯ブラシの一態様は、
使用者が把持する柄部と、
前記柄部から延出する導電性の支軸部と、
前記支軸部によって支持され、ブラシ毛が設けられたヘッド部と、
前記柄部に収容され、第１電極および第２電極を有する電池であって、前記第１電極が前記柄部の外表面に設けられた導電部材と電気的に接続され、前記第２電極が前記支軸部と電気的に接続される電池と、
前記柄部に収容され、第１端子および第２端子を有する発光部と、
前記柄部に設けられ、前記発光部が発する光を透過する光透過部と、
前記第１端子と前記第１電極とを電気的に接続可能な第１配線と、
前記第２端子と前記第２電極とを電気的に接続可能な第２配線と、
前記光透過部に設けられ、前記第１端子および前記第１配線の一方を他方に押し付けている第１突起部と、
前記光透過部に設けられ、前記第２端子および前記第２配線の一方を他方に押し付けている第２突起部と、
を含み、
前記光透過部、前記第１突起部、および前記第２突起部の材質は、ポリウレタンである。
【００１０】
［適用例２］
適用例１において、
前記第２配線を前記支軸部に押し付けるためのスイッチ部を、さらに含み、
前記第２配線は、前記スイッチ部によって、前記支軸部と接触して、前記第２電極と電気的に接続されてもよい。
【００１１】
［適用例３］
適用例２において、
前記スイッチ部の材質は、ポリウレタンであってもよい。
【００１２】
［適用例４］
適用例１ないし３のいずれか１例おいて、
前記第１突起部は、前記第１配線を前記第１端子に押し付け、
前記第２突起部は、前記第２配線を前記第２端子に押し付けていてもよい。
【００１３】
［適用例５］
適用例４において、
前記第１突起部は、前記第１配線の前記第１端子との重なり部を押し、
前記第２突起部は、前記第２配線の前記第２端子との重なり部を押していてもよい。
【００１４】
［適用例６］
適用例１ないし５のいずれか１例おいて、
前記柄部の材質は、ＡＢＳ（ａｃｒｙｌｏｎｉｔｒｉｌｅ  ｂｕｔａｄｉｅｎｅ  ｓｔｙｒｅｎｅ  ｃｏｐｏｌｙｍａｅｒ）樹脂であってもよい。
【００１５】
［適用例７］
適用例１ないし６のいずれか１例おいて、
前記柄部は、
柄部本体と、
超音波溶着によって前記柄部本体に固定されたカバー部と、
を有していてもよい。
【発明の効果】
【００１６】
本発明に係るイオン歯ブラシによれば、第１突起部は、発光部の第１端子および第１配線の一方を他方に押し付けている。そのため、第１配線と第１端子とを確実に接触させることができる。さらに、第２突起部は、発光部の第２端子および第２配線の一方を他方に押し付けている。そのため、第２配線と第２端子とを確実に接触させることができる。
【００１７】
また、第１突起部および第２突起部の材質は、ポリウレタンである。そのため、イオン歯ブラシの製造工程において、例えば、カバー部を、超音波溶着によって柄部本体に固定する工程を有したとしても、第１突起部および第２突起部が変形したり溶けたりすることを抑制できる。これにより、例えば、第１配線および第２配線を発光部の第１端子および第２端子に押さえつける力が弱まることを抑制ができる。その結果、本発明に係るイオン歯ブラシでは、発光部の点灯不良を抑制できる。
【図面の簡単な説明】
【００１８】
【図１】本実施形態に係るイオン歯ブラシを模式的に示す正面図。
【図２】本実施形態に係るイオン歯ブラシを模式的に示す側面図。
【図３】本実施形態に係るイオン歯ブラシを模式的に示す背面図。
【図４】本実施形態に係るイオン歯ブラシのヘッド部を取り外した状態を模式的に示す図。
【図５】本実施形態に係るイオン歯ブラシを分解した状態を模式的に示す図。
【図６】本実施形態に係るイオン歯ブラシを分解した状態の一部を模式的に示す図。
【図７】本実施形態に係るイオン歯ブラシのカバー部の内表面側を模式的に示す図。
【図８】本実施形態に係るイオン歯ブラシを模式的に示す断面図。
【図９】本実施形態に係るイオン歯ブラシを模式的に示す断面図。
【図１０】本実施形態に係るイオン歯ブラシを模式的に示す断面図。
【発明を実施するための形態】
【００１９】
以下、本発明の好適な実施形態について、図面を用いて詳細に説明する。なお、以下に説明する実施形態は、特許請求の範囲に記載された本発明の内容を不当に限定するものではない。また、以下で説明される構成の全てが本発明の必須構成要件であるとは限らない。
【００２０】
図１は、本実施形態に係るイオン歯ブラシ１００を模式的に示す正面図である。図２は、本実施形態に係るイオン歯ブラシ１００を模式的に示す側面図である。図３は、本実施形態に係るイオン歯ブラシ１００を模式的に示す背面図である。図４は、本実施形態に係るイオン歯ブラシ１００のヘッド部９０を取り外した状態を模式的に示す図である。図５は、本実施形態に係るイオン歯ブラシ１００を分解した状態を模式的に示す図である。図６は、本実施形態に係るイオン歯ブラシ１００を分解した状態の一部を模式的に示す図であって、図５に示す領域Ａの拡大図である。図７は、本実施形態に係るイオン歯ブラシ１００のカバー部１３０の内表面１３２側を模式的に示す図である。図８は、本実施形態に係るイオン歯ブラシ１００を模式的に示す図１のＶＩＩＩ−ＶＩＩＩ線断面図である。図９は、本実施形態に係るイオン歯ブラシ１００を模式的に示す図１のＩＸ−ＩＸ線断面図である。図１０は、本実施形態に係るイオン歯ブラシ１００を模式的に示す図１のＸ−Ｘ線断面図である。
【００２１】
なお、便宜上、図５では、導電部材２６、板ばね２７、シール部材２８、およびヘッド部９０の図示を省略している。また、図８は、図５に示すＶＩＩＩ−ＶＩＩＩ線に対応する断面図でもある。図９は、図５に示すＩＸ−ＩＸ線に対応する断面図でもある。図１０は、図５に示すＸ−Ｘ線に対応する断面図でもある。また、図１〜図１０では、互いに直交する３つの軸として、Ｘ軸、Ｙ軸、Ｚ軸を図示している。
【００２２】
イオン歯ブラシ１００は、図１〜図１０に示すように、柄部１０と、電池２０と、導電部材２６と、支軸部３０と、発光部４０と、光透過部５０と、第１突起部５２と、第２突起部５４と、第１配線６０と、第２配線７０と、スイッチ部８０と、ヘッド部９０と、を含む。
【００２３】
柄部１０は、使用者が把持する部分である。柄部１０の形状は、使用者が把持することができれば特に限定されないが、図示の例では、Ｙ軸方向に延びる形状である。柄部１０の材質は、例えば、ＡＢＳ（ａｃｒｙｌｏｎｉｔｒｉｌｅ  ｂｕｔａｄｉｅｎｅ  ｓｔｙｒｅｎｅ  ｃｏｐｏｌｙｍａｅｒ）樹脂である。柄部１０は、電池２０、発光部４０、および配線６０，７０を収容することができる。柄部１０は、柄部本体１１０と、カバー部１３０と、を有している。
【００２４】
柄部本体１１０は、図５に示すように、カバー部１３０によって覆われる表面（カバー部１３０側を向く面）１１２を有している。表面１１２には、凹部１１４が設けられている。
【００２５】
カバー部１３０は、柄部本体１１０を閉鎖することができる。カバー部１３０は、図７に示すように、内表面（柄部本体１１０側を向く面）１３２に設けられた凸部１３４を有している。凸部１３４は、内表面１３２から柄部本体１１０側に（図示の例では−Ｚ軸方向に）突出している。凸部１３４は、柄部本体１１０に設けられた凹部１１４に対応して設けられている。図７に示す例では、凸部１３４は、カバー部１３０の外縁に沿って設けられている。
【００２６】
カバー部１３０は、超音波溶着によって、柄部本体１１０に固定されることができる。具体的には、カバー部１３０の凸部１３４を、柄部本体１１０に設けられた凹部１１４に挿入させた状態で、超音波振動を与えつつ圧力を加える。これにより、凸部１３４および凹部１１４が互いに溶着し、カバー部１３０を柄部本体１１０に固定することができる。なお、図１〜４および図８〜１０は、カバー部１３０が柄部本体１１０に溶着された後の状態を示している。超音波溶着において超音波振動の周波数は、凸部１３４の大きさ、形状、材質に合わせて、適宜設定することができるが、カバー部１３０および柄部本体１１０の材質がＡＢＳ樹脂の場合は、例えば、１５ｋＨｚ以上２５ｋＨｚ以下であり、より好ましくは、１８ｋＨｚ以上２０ｋＨｚ以下である。超音波溶着において加える圧力は、凸部１３４の大きさ、形状、材質に合わせて、適宜設定することができるが、カバー部１３０および柄部本体１１０の材質がＡＢＳ樹脂の場合は、例えば、０．４ＭＰａ以上０．６ＭＰａ以下である。
【００２７】
電池２０は、図５および図８に示すように、柄部１０に収容されている。具体的には、電池２０は、柄部１０の表面１１２に形成された電池収容穴１１３に収容されている。図示の例では、電池２０は、電池収容穴１１３の底部に設けられた突出部１１５上に、載置されている。電池２０は、例えば、円盤状のリチウム電池である。電池２０は、第１電極２２（例えば正極）および第２電極２４（例えば負極）を有している。なお、カバー部１３０には、電池収容穴１１３に連通する開口部１３３が設けられている。
【００２８】
電池２０の第１電極２２は、図８に示すように、板ばね２７を介して、柄部１０の外表面１２に設けられた導電部材２６と電気的に接続されている。電池２０の第２電極２４は、支軸部３０と電気的に接続されている。具体的には、電池収容穴１１３の底部には、支軸部３０の一部が露出しており、第２電極２４は、露出した支軸部３０に接触している。
【００２９】
支軸部３０は、図１および図４に示すように、柄部１０から延出している。具体的には、支軸部３０は、柄部本体１１０の先端（ヘッド部９０が装着される側の端）から、ヘッド部９０を柄部１０に装着した際のブラシ部９２近傍まで、柄部１０の長手方向（図示の例ではＹ軸方向）に延出している。支軸部３０は、例えば、棒状の形状である。
【００３０】
支軸部３０は、図５に示すように、さらに、柄部本体１１０内であって柄部本体１１０の長手方向に延びる部分を有している。具体的には、支軸部３０は、柄部本体１１０の先
端から開口部１１６を超えた位置まで延びている。開口部１１６は、柄部本体１１０の表面１１２に形成され、支軸部３０を露出している。開口部１１６は、電池収容穴１１３よりも柄部本体１１０の基端（先端とは反対側の端）側に形成されている。支軸部３０は、導電性である。支軸部３０の材質は、例えば、ステンレス鋼である。
【００３１】
発光部４０は、図５，６，１０に示すように、柄部１０に収容されている。発光部４０は、発光部本体４２と、第１端子４４と、第２端子４６と、を有している。発光部本体４２は、柄部本体１１０に形成された発光部収容穴１１８に収容されている。発光部収容穴１１８は、開口部１１６よりも柄部本体１１０の基端（先端とは反対側の端）側に形成されている。発光部本体４２としては、例えば、ＬＥＤ（Ｌｉｇｈｔ  Ｅｍｉｔｔｉｎｇ  Ｄｉｏｄｅ）を用いる。
【００３２】
発光部４０の第１端子４４および第２端子４６は、発光部本体４２から、柄部１０の短手方向（図示の例ではＸ軸方向）であって互いに反対の方向に延出している。図示の例では、第１端子４４は、発光部本体４２から＋Ｘ軸方向に延出し、第２端子４６は、発光部本体４２から−Ｘ軸方向に延出している。端子４４，４６は、柄部本体１１０の載置面１１９に載置されている。載置面１１９には、発光部収容穴１１８が形成されている。載置面１１９は、平坦な面であり、柄部本体１１０の表面１１２よりも低い面（−Ｚ軸方向に位置する面）であってもよい。端子４４，４６は、導電性である。端子４４，４６の材質は、例えば、銅合金である。
【００３３】
光透過部５０は、柄部１０に設けられている。具体的には、光透過部５０は、カバー部１３０に形成された開口部１３６に設けられている。開口部１３６は、カバー部１３０を貫通している。光透過部５０の一部は、カバー部１３０の外表面（柄部１０の外表面）１２において露出している。光透過部５０の平面形状（Ｚ軸方向から見た形状）は、特に限定されないが、図５に示す例では、円形である。光透過部５０は、平面視において（Ｚ軸方向から見て）、発光部４０と重なるように設けられている。光透過部５０は、発光部４０が発する光を透過することができる。これにより、発光部４０が発する光を、イオン歯ブラシ１００の外側から確認することができる。
【００３４】
第１突起部５２および第２突起部５４は、図７および図１０に示すように、光透過部５０に設けられている。具体的には、突起部５２，５４は、図１０に示すように、光透過部５０の内表面５１（柄部本体１１０側を向く面）に設けられている。突起部５２，５４は、内表面５１から柄部本体１１０側に突出している。突起部５２，５４の平面形状は、特に限定されないが、図７に示す例では、円形である。
【００３５】
第１突起部５２は、平面視において、発光部４０の第１端子４４および第１配線６０と重なるように設けられている。第１突起部５２は、発光部４０の第１端子４４および第１配線６０の一方を他方に押し付けている（詳細は後述）。第２突起部５４は、平面視において、発光部４０の第２端子４６および第２配線７０と重なるように設けられている。第２突起部５４は、発光部４０の第２端子４６および第２配線７０の一方を他方に押し付けている（詳細は後述）。
【００３６】
光透過部５０、第１突起部５２、および第２突起部５４の材質は、ポリウレタンであり、例えば、ジイソシアネートとジオールとの重付加反応により合成されたポリウレタンである。光透過部５０および突起部５２，５４は、例えば、射出成形により一体的に形成される。
【００３７】
第１配線６０は、図５に示すように、柄部１０に収容されている。第１配線６０は、発光部４０の第１端子４４と、電池２０の第１電極２２と、を電気的に接続可能である。具
体的には、第１配線６０の第１部分６２は、第１端子４４に接触している。第１配線６０の第２部分６４は、第１電極２２に接触している。
【００３８】
第１配線６０の第１部分６２は、図５に示す例では、第１配線６０の−Ｙ軸方向の端部近傍の部分である。具体的には、第１部分６２は、平面視において、第１配線６０の、発光部４０の第１端子４４との重なり部である。第１部分６２は、図１０に示すように、第１突起部５２に接触している。第１突起部５２は、弾性を有することができ、第１配線６０を第１端子４４に押し付けている。これにより、第１部分６２と第１端子４４とを確実に接触させることができる。図１０に示す例では、第１突起部５２は、第１部分６２を押している。
【００３９】
第１配線６０の第２部分６４は、図５に示す例では、第１配線６０の＋Ｙ軸方向の端部である。第２部分６４は、電池２０の＋Ｘ軸方向において、電池２０の第１電極２２に接触している。第１配線６０は、略Ｕ字状に屈曲した屈曲部６６を有している。図示の例では、第１配線６０は、屈曲部６６から＋Ｙ軸方向に向かうに従って、＋Ｘ軸方向に湾曲している。この湾曲した形状および第１配線６０の弾性により、第２部分６４は、第１電極２２に押し付けられることができる。これにより、第２部分６４と第１電極２２とを確実に接触させることができる。さらに、屈曲部６６によって、第１配線６０が柄部本体１１０の長手方向にずれることを抑制できる。
【００４０】
第２配線７０は、柄部１０に収容されている。第２配線７０は、発光部４０の第２端子４６と、電池２０の第２電極２４と、を電気的に接続可能である。具体的には、第２配線７０の第３部分７２は、第２端子４６に接触している。第２配線７０の第４部分７４は、スイッチ部８０が押されることによって、支軸部３０と接触して、第２電極２４と電気的に接続される（詳細は後述）。
【００４１】
第２配線７０の第３部分７２は、図５に示す例では、第２配線７０の−Ｙ軸方向の端部近傍の部分である。具体的には、第３部分７２は、平面視において、第２配線７０の、発光部４０の第２端子４６との重なり部である。第２配線７０は、図１０に示すように、第２突起部５４に接触している。第２突起部５４は、弾性を有することができ、第２配線７０を第２端子４６に押し付けている。これにより、第３部分７２と第２端子４６とを確実に接触させることができる。図１０に示す例では、第２突起部５４は、第３部分７２を押している。
【００４２】
第２配線７０の第４部分７４は、図５に示す例では、第２配線７０の＋Ｙ軸方向の端部である。第２配線７０は、略Ｌ字状に屈曲して、Ｘ軸方向に延出する第４部分７４を構成している。第４部分７４は、平面視において、開口部１１６において露出する支軸部３０と重なっている。図９に示すように、スイッチ部８０が押されていない状態では、第４端部７４は、支軸部３０と離間している。スイッチ部８０が押されると、第４端部７４は、支軸部３０側に変位し、支軸部３０に接触する。これにより、第２配線７０は、電池２０の第２電極２４と電気的に接続され、発光部４０が点灯する。
【００４３】
なお、第２配線７０の第４部分７４の端７５は、図９に示すように、支軸部３０側に屈曲していてもよい。これにより、スイッチ部８０が押された状態において、より確実に、第２配線７０と支軸部３０とを接触させることができる。
【００４４】
第２配線７０は、図５に示すように、略Ｕ字状に屈曲した屈曲部７６を有している。屈曲部７６および第２配線７０の弾性により、スイッチ部８０が押されていない状態では、第２配線７０の第４部分７４と支軸部３０とを離間させることができる。さらに、屈曲部７６によって、第２配線７０が柄部本体１１０の長手方向にずれることを抑制できる。
【００４５】
第１配線６０および第２配線７０は、図５に示す例では、柄部本体１１０の表面１１２に形成された溝部１２０に設けられている。溝部１２０は、配線６０，７０の大きさや形状に従って、任意に設計することができる。なお、図５に示すように、表面１１２には、複数の突出部１２２が設けられていてもよい。これにより、配線６０，７０が柄部本体１１０に対してずれることを抑制できる。また、図７に示すように、カバー部１３０の内表面１３２には、突出部１２２に対応した位置に、窪み部１３７が形成されていてもよい。
【００４６】
第１配線６０および第２配線７０は、例えば、断面円形の線材によって構成されている。これにより、配線６０，７０を容易に加工することができる。なお、配線６０，７０の断面形状は、弾性を有することができれば、特に限定されない。配線６０，７０は、導電性である。配線６０，７０の材質は、例えば、ステンレス鋼である。
【００４７】
スイッチ部８０は、図５および図９に示すように、柄部１０に設けられている。具体的には、スイッチ部８０は、カバー部１３０に形成された開口部１３８に設けられている。開口部１３８は、カバー部１３０を貫通している。スイッチ部８０の材質は、ポリウレタンである。すなわち、スイッチ部８０の材質は、光透過部５０、第１突起部５２、および第２突起部５４の材質と同じである。スイッチ部８０は、第２配線７０を支軸部３０に押し付けるための部分である。
【００４８】
スイッチ部８０は、図９に示すように、スイッチノブ８２を有している。スイッチノブ８２は、カバー部１３０側から柄部本体１１０側に（図示の例では−Ｚ軸方向に）向けて突出している。スイッチノブ８２の形状は、特に限定されないが、例えば、円筒状である。図示の例では、スイッチ部８０が押されていない状態において、スイッチノブ８２は、第２配線７０と接触しているが、第２配線７０と離間していてもよい。
【００４９】
スイッチ部８０は、カバー部１３０の外表面（柄部１０の外表面）１２において露出した部分を有している。スイッチ部８０の該露出した部分を、柄部本体１１０側に押し込むことにより、スイッチ部８０は弾性変形し、スイッチノブ８２は柄部本体１１０側に変位する。スイッチノブ８２の変位に伴い、第２配線７０は、支軸部３０に接触する。これにより、閉回路が形成され、発光部４０は点灯する（詳細は後述）。
【００５０】
導電部材２６は、図８に示すように、柄部１０の外表面１２に設けられている。具体的には、導電部材２６は、電池２０の周囲の外表面１２に、電池収容穴１１３および開口部１３３を覆って設けられている。導電部材２６は、例えば、導電板を、電池２０の周囲の外表面１２に沿って屈曲させて所定位置に被せ、その両端部２６ａ，２６ｂを内側に（＋Ｚ軸方向に）折り曲げて、柄部本体１１０に形成された係止溝１２４ａ，１２４ｂに係合させることにより、柄部１０に固定されている。導電部材２６の材質は、例えば、チタン、ステンレスである。
【００５１】
導電部材２６と電池２０との間には、導電性の板ばね２７が設けられている。板ばね２７は、弾性を有し、導電部材２６と電池２０の第１電極２２とを確実に電気的に接続させることができる。また、板ばね２７は、電池２０の第２電極２４と支軸部３０とを、確実に接触させることができる。
【００５２】
電池収容穴１１３と連通する開口部１３３の周囲には、シール部材２８が設けられている。シール部材２８としては、例えば、Ｏリングを用いる。シール部材２８は、電池２０を外部に対して水密にシールすることができる。
【００５３】
柄部本体１１０の先端には、図４に示すように、ヘッド部９０を着脱可能に固定するた
めの係合部１２６が設けられている。なお、図４に示すように、柄部本体１１０およびカバー部１３０には、使用者が把持したときに滑り止めとなる段差部１５０が設けられていてもよい。
【００５４】
ヘッド部９０は、支軸部３０によって支持されている。ヘッド部９０は、ブラシ毛９１が設けられた（植毛された）ブラシ部９２と、ブラシ部９２から一体的にくびれて延びるシャンク部９３と、を有している。ヘッド部９０の、ブラシ毛９１が植毛されている表面９４であって、ブラシ部９２近傍の位置には、支軸部３０の一部を露出する開口部９５が形成されている。ヘッド部９０の材質は、例えば、ＡＢＳ樹脂、ＰＰ（ｐｏｌｙｐｒｏｐｙｌｅｎｅ）樹脂である。
【００５５】
シャンク部９３には、支軸部３０が挿入される支軸部挿入穴９６が形成されている。支軸部挿入穴９６は、開口部９５と連通している。シャンク部９３の柄部１０と接続される側には、柄部本体１１０に形成された係合部１２６と係合する係合凹部９７が設けられている。
【００５６】
イオン歯ブラシ１００では、導電部材２６に手を触れながら柄部１０を把持し、ブラシ毛９１によって歯をブラッシングすると、ブラシ毛９１は、唾液等の液体によって濡れ、開口部９５を含む液体の連なった経路を介して支軸部３０と電気的に導通可能な状態となる。すなわち、開口部９５は、液体を媒体として、ブラシ毛９１と支軸部３０とを電気的に導通可能にするための開口部である。これにより、電流は、電池２０から使用者の手、体、歯、ブラシ毛９１、開口部９５を含む液路、支軸部３０、電池２０という経路で流れ、電位傾斜によって歯垢除去効果等のブラッシング効果を高めることができる。
【００５７】
イオン歯ブラシ１００では、電池２０の検査をする（電池２０の有効を確認する）際には、スイッチ部８０を押す。これにより、第２配線７０が支軸部３０に接触し、電池２０、第１配線６０、発光部４０、第２配線７０、支軸部３０、電池２０という電気回路が構成される。このとき、電池２０が所定の電圧を有している場合には、スイッチ部８０を押すことによって、発光部４０が点灯し、その有効性を示す。一方、電池２０が消耗し、所定の電圧を有していない場合には、スイッチ部８０を押しても発光部４０は点灯しない。
【００５８】
さらに、スイッチ部８０を押すことを止めると、第２配線７０の弾性により、第２配線７０は、支軸部３０から離間する。これにより、上述の電気回路は開回路となり、発光部４０の点灯が消える。このように、スイッチ部８０は、電池２０と発光部４０とを含む電気回路の開閉を行うことができる。
【００５９】
なお、上述の例では、第１突起部５２は、第１配線６０を発光部４０の第１端子４４に押し付けている形態について説明したが、第１突起部５２は、発光部４０の第１端子４４を第１配線６０に押し付けていてもよい。同様に、第２突起部５４は、発光部４０の第２端子４６を第２配線７０に押し付けていてもよい。
【００６０】
また、上述の例では、第２配線７０と支軸部３０との接触をスイッチ部８０によって行う形態について説明したが、第１配線６０と支軸部３０との接触をスイッチ部８０によって行ってもよい。スイッチ部８０は、電池２０と発光部４０とを含む電気回路の開閉を行うことができれば、任意の位置に設けられることができる。
【００６１】
また、上述の例では、ヘッド部９０が柄部１０から分離可能な形態について説明したが、ヘッド部９０と柄部１０とが一体的に形成された構造であってもよい。
【００６２】
また、発光部５０とスイッチ部８０との配置は、図示の例に限定されず、上記の機能を
損なわない限り、任意である。
【００６３】
また、発光部５０およびスイッチ部８０は、カバー部１３０と別工程で射出成形により形成された後に、カバー部１３０の開口部１３６，１３８にはめ込まれてもよい。さらに、発光部５０およびスイッチ部８０は、防水等の観点から、例えば接着剤によって、カバー部１３０の開口部１３６，１３８の内面に密着されていてもよい。または、発光部５０、スイッチ部８０、およびカバー部１３０は、ＡＢＳ樹脂を射出する射出機およびウレタン樹脂を射出する射出機を備えた射出成形機を使って、連続的に形成されてもよい。
【００６４】
本実施形態に係るイオン歯ブラシ１００は、例えば、以下の特徴を有する。
【００６５】
イオン歯ブラシ１００によれば、第１突起部５２は、発光部４０の第１端子４４および第１配線６０の一方を他方に押し付けている。具体的には、第１突起部５２は、第１配線６０を第１端子４４に押し付けている。そのため、第１配線６０と第１端子４４とを確実に接触させることができる。さらに、第２突起部５４は、発光部４０の第２端子４６および第２配線７０の一方を他方に押し付けている。具体的には、第２突起部５４は、第２配線７０を第２端子４６に押し付けている。そのため、第２配線７０と第２端子４６とを確実に接触させることができる。
【００６６】
また、第１突起部５２および第２突起部５４の材質は、ポリウレタンである。そのため、イオン歯ブラシ１００の製造工程において、例えば、カバー部１３０を、超音波溶着によって柄部本体１１０に固定する工程を有したとしても、突起部５２，５４が変形したり溶けたりすることを抑制できる。これにより、配線６０，７０を発光部４０の端子４４，４６に押さえつける力が弱まることを抑制ができる。その結果、イオン歯ブラシ１００では、発光部４０の点灯不良を抑制できる。また、イオン歯ブラシ１００の製造時の歩留まりを、向上させることができる。
【００６７】
例えば、カバー部の材質と同じＡＢＳ樹脂で構成された突起部では、超音波溶着の際に突起部が溶けだし、配線を発光部の端子に押さえ付ける力が弱まる場合がある。その結果、配線と発光部の端子との接触が不十分となり、点灯不良が発生する場合がある。
【００６８】
さらに、イオン歯ブラシ１００では、第１突起部５２および第２突起部５４は、光透過部５０に設けられ、光透過部５０の材質は、ポリウレタンである。そのため、例えば、射出成形により、光透過部５０および突起部５２，５４を一体的に形成することができる。その結果、イオン歯ブラシ１００では、例えば、製造工程の簡素化および低コスト化を図ることができる。
【００６９】
イオン歯ブラシ１００によれば、第２配線７０は、スイッチ部８０によって、支軸部３０と接触して、電池２０の第２電極２４と電気的に接続される。そのため、イオン歯ブラシ１００では、上述のように、電池２０の電圧の検査を行いときにだけスイッチ部８０を押すことにより、簡単に電池２０の電圧の検査を行うことができる。さらに、電圧の検査による電池２０の消耗を、低減することができる。
【００７０】
イオン歯ブラシ１００によれば、スイッチ部８０の材質は、ポリウレタンである。そのため、光透過部５０および突起部５２，５４と同じ材料を用いてスイッチ部８０を形成することができる。その結果、イオン歯ブラシ１００では、例えば、低コスト化を図ることができる。
【００７１】
イオン歯ブラシ１００によれば、第１突起部５２は、第１配線６０の、発光部４０の第１端子４４との重なり部（第１部分）６２を押している。第２突起部５４は、第２配線７
０の、発光部４０の第２端子４６との重なり部（第３部分）７２を押している。そのため、イオン歯ブラシ１００では、例えば、配線の、発光部の端子と重なっていない部分を押している場合に比べて、より確実に、配線６０，７０と端子４４，４６とを接触させることができる。
【００７２】
イオン歯ブラシ１００によれば、柄部１０は、柄部本体１１０と、超音波溶着によって柄部本体１１０に固定されたカバー部１３０と、を有している。そのため、イオン歯ブラシ１００では、例えば、半田を用いて柄部本体にカバー部を固定する場合に比べて、製造工程の簡素化を図ることができる。
【００７３】
本発明は、上述した実施形態に限定されるものではなく、種々の変形が可能である。本発明は、上述した各実施形態および各変形例を適宜組み合わせることも可能である。また、本発明は、例えば、実施形態で説明した構成と実質的に同一の構成（例えば、機能、方法および結果が同一の構成、あるいは目的および効果が同一の構成）を含む。また、本発明は、実施形態で説明した構成の本質的でない部分を置き換えた構成を含む。また、本発明は、実施形態で説明した構成と同一の作用効果を奏する構成または同一の目的を達成することができる構成を含む。また、本発明は、実施形態で説明した構成に公知技術を付加した構成を含む。
【符号の説明】
【００７４】
１０…柄部、１２…外表面、２０…電池、２２…第１電極、２４…第２電極、２６…導電部材、２６ａ，２６ｂ…端部、２７…板ばね、２８…シール部材、３０…支軸部、４０…発光部、４２…発光部本体、４４…第１端子、４６…第２端子、５０…光透過部、５１…内表面、５２…第１突起部、５４…第２突起部、６０…第１配線、６２…第１部分、６４…第２部分、６６…屈曲部、７０…第２配線、７２…第３部分、７４…第４部分、７５…端、７６…屈曲部、８０…スイッチ部、８２…スイッチノブ、９０…ヘッド部、９１…ブラシ毛、９２…ブラシ部、９３…シャンク部、９４…表面、９５…開口部、９６…支軸部挿入穴、９７…係合凹部、１００…歯ブラシ、１１０…柄部本体、１１２…表面、１１３…電池収容穴、１１４…凹部、１１５…突出部、１１６…開口部、１１８…発光部収容穴、１１９…載置面、１２０…溝部、１２２…突出部、１２４ａ，１２４ｂ…係止溝、１２６…係合部、１３０…カバー部、１３２…内表面、１３３…開口部、１３４…凸部、１３６…開口部、１３７…窪み部、１３８…開口部、１５０…段差部
【図１】
2014064760.tif 000003
【図２】
2014064760.tif 000004
【図３】
2014064760.tif 000005
【図４】
2014064760.tif 000006
【図５】
2014064760.tif 000007
【図６】
2014064760.tif 000008
【図７】
2014064760.tif 000009
【図８】
2014064760.tif 000010
【図９】
2014064760.tif 000011
【図１０】
2014064760.tif 000012